(57)【要約】【課題】展示スペースに収容され冷蔵された被展示物を容易に取り出すことができる冷蔵ショーケースを提供する。【解決手段】開口部６に設けた透明な引き戸７、壁板８、天井板９に囲まれた展示スペース３に平面が環状の循環コンベア１０，１１を設けて、冷菓のカップＣや飲料の瓶Ｂを循環コンベア１０，１１に載置して展示スペース３内を循環する。支柱２２を介して循環コンベア１０，１１を設け、上段に位置する前記循環コンベア１１のモータ２０を前記支柱２２内に設ける。冷蔵状態で循環する冷菓のカップＣや飲料の瓶Ｂを展示スペース３の前側に移動したときに、簡単に取り出すことができる。冷菓のカップＣや飲料の瓶Ｂ等を上下段の循環コンベア１０，１１に載置して展示スペース３内を循環し、多量な冷菓や飲料等を収容することができる。【選択図】      図１
2005013619.tif 000002
【特許請求の範囲】
【請求項１】
前面に開口部を設けるか或いは前記前面の開口部に透明な開閉部を設けた展示スペースを備えた冷蔵ショーケースであって、前記展示スペースに平面が環状の循環コンベアを設けたことを特徴とする冷蔵ショーケース。
【請求項２】
前記循環コンベアは、平面が環状のガイドレールと、このガイドレールに沿って配置されると共に平面が略三日月状の板を回動自在に複数接続したコンベア本体により形成されることを特徴とする請求項１記載の冷蔵ショーケース。
【請求項３】
前記展示スペースの底面に載置する台の上面に前記ガイドレールは形成され、前記台に前記コンベア本体の駆動装置を収容したことを特徴とする請求項２記載の冷蔵ショーケース。
【請求項４】
前記循環コンベアは、上下に複数段支柱を介して設けられると共に、上段に位置する前記循環コンベアの前記モータを前記支柱内に設けることを特徴とする請求項３記載の冷蔵ショーケース。
【発明の詳細な説明】
【０００１】
【発明の属する技術分野】
本発明は、展示スペースを備えた冷蔵ショーケースに関する。
【０００２】
【従来の技術】
従来の冷蔵ショーケースは、例えばケースの左右方向に隣接する展示スペース及び機械室が設けられ、そして展示スペースには食材が冷蔵保存されながら展示される一方、機械室には展示スペースを冷却するための冷凍回路構成部品等が収納され、そして展示スペースの前面から上半面にかけて透明なガラス板が嵌め込まれており、冷蔵ショーケースの前側からガラス板を通して収納された食材が見えるようになっており、また、展示スペースの後面には透明なスライドガラスが設けられて後側からスライドガラスを通して収納された食材が見えると共に、このスライドガラスを開けて展示スペース２内の食材の出し入れを行うことができるように構成されている（例えば、特許文献１参照）。
【０００３】
【特許文献１】
特開２００３−１２１０５４号公報（段落０００２、図１）
【０００４】
【発明が解決しようとする課題】
前記従来技術においては、展示スペースに収納された食材は展示スペースの底面に載置されるものであるが、このような底面に食材を置いただけではお客の興味を引き付けできないばかりか、手前の食材は取り出し易いが奥の食材は取り出し難いという問題がある。特に展示スペースよりお客が直接被展示物を取り出すような使用にあっては、奥のものは取り出し難いのみならず、子供等が取り出すときには手が届かず、取り出しができない。
【０００５】
そこで、本発明は、展示スペースに収容され冷蔵された被展示物を容易に取り出すことができる冷蔵ショーケースを提供することを目的とする。
【０００６】
【課題を解決するための手段】
請求項１の発明は前面に開口部を設けるか或いは前記前面の開口部に開閉部を設けた展示スペースを備えた冷蔵ショーケースであって、前記展示スペースに平面が環状の循環コンベアを設けたことを特徴とする冷蔵ショーケースである。
【０００７】
この請求項１の構成によれば、冷菓や飲料等は循環コンベアに載置されて展示スペース内を循環する。
【０００８】
請求項２の発明においては、前記循環コンベアは、平面が環状のガイドレールと、このガイドレールに沿って配置されると共に平面が略三日月状の板を回動自在に複数接続したコンベア本体により形成されることを特徴とする請求項１記載の冷蔵ショーケースである。
【０００９】
この請求項２の構成によれば、複数接続した平面が略三日月状の板がガイドレールに沿って循環するものである。
【００１０】
請求項３の発明においては、前記展示スペースの底面に載置する台の上面に前記ガイドレールは形成され、前記台に前記コンベア本体の駆動装置を収容したことを特徴とする請求項２記載の冷蔵ショーケースである。
【００１１】
この請求項３の構成によれば、台に設けられた駆動装置によりコンベア本体を循環作動できる。
【００１２】
請求項４の発明においては、前記循環コンベアは、上下に複数段支柱を介して設けられると共に、上段に位置する前記循環コンベアの前記モータを前記支柱内に設けることを特徴とする請求項３記載の冷蔵ショーケースである。
【００１３】
この請求項４の構成によれば、冷菓や飲料等は上下段の循環コンベアに載置されて展示スペース内を循環する。
【００１４】
【発明の実施形態】
以下、本発明の一実施形態を添付図を参照して説明する。平面がほぼ矩形の箱型をなした冷蔵ショーケース１は、床上に設置するための平面が矩形な基台２を下部に設けると共に、展示スペース３を上部に設けている。展示スペース３内の被展示物たる冷菓や飲料を所定温度に冷蔵するための図示しない冷媒の圧縮機、モータ等冷凍回路構成部品を収容した機械室４が基台に設けられている。
【００１５】
展示スペース３は、その底面５上の前面、すなわちお客側には開口部６が全面的に形成され、この開口部６に透明な開閉部であるガラス板の引き戸７が設けられ、さらに展示スペース３の底面５の左右両側及び後側にガラス板による透明な壁板８がそれぞれ設けられると共に、展示スペース３の上部にはガラス板による透明な天井板９が設けられて、展示スペース３は前後左右及び上下方を囲まれて密閉型に形成されている。尚、実施形態では、引き戸７の上部の後退した上面部７Ａより展示スペース３の上部の前側が覆われるようになっている。また実施形態では前面の引き戸７を四枚組のものを示したが、二枚組、三枚組等のように開閉できるものであればよい。そして、開閉する総ての引き戸７を取り外したときには、前面の開口部６が全面的に開放するようになっている。
【００１６】
展示スペース３内には、底面５上に設けられる下段の循環コンベア１０と、この下段の循環コンベア１０の上方に設けられる上段の循環コンベア１１が設けられている。
【００１７】
下段の循環コンベア１０は平面が環状であって、平面が環状のガイドレール１２と、このガイドレール１２に沿って配置されると共に食品を載置するためのスラット等と称せられる板１３を回動自在に複数接続したコンベア本体１４により形成される。板１３は一方に円弧状凸部１３Ａが形成され、他方に円弧状凹部１３Ｂが形成されて略三日月状に形成されている。また板１３の下面にはガイドレール１２側を摺動するローラ１５が設けられており、さらに複数の板１３はチェーン部材１６により回動自在に連結されている。そして、前記ガイドレール１２は前記展示スペース３の底面５に載置する下部台１７の上面に形成された凹部１８に配置されている。さらに、前記下部台１７には前記チェーン部材１６に係合する駆動用スプロケット１９が回動自在に設けられ、この駆動用スプロケット１９は回転駆動用モータ２０により回転駆動するようになっており、これら駆動用スプロケット１９、回転駆動用モータ２０等によりコンベア本体１４を循環移動するための駆動装置２１が構成される。尚、展示スペース３の前側にはコンベア本体１４の直線部１４Ａが配置され、展示スペース３の左右側にはコンベア本体１４の曲線部１４Ｂが配置されている。さらに、下部台１７における環状のガイドレール１２の内側の左右より支柱２２を立設すると共に、この支柱２２により上段の循環コンベア１１を設ける。上段の循環コンベア１１は、支柱２２の上端間に上部台２３が架設されいる。上部台２３の上面には、平面が環状のガイドレール２４と、このガイドレール２４に沿って配置されると共に食品を載置するための平面が略三日月状の板２５を回動自在に複数接続したコンベア本体２６とが設けられる。板２５は前述の板１３と同様なものであり図示しないチェーン部材により回動自在に連結されている。そして前記上部台２３には前記チェーン部材に係合する図示しない駆動用スプロケットが設けられ、この駆動用スプロケットはいずれかの支柱２２内に設けた回転駆動用モータ２７により回転駆動するようになっており、これら駆動用スプロケット、回転駆動用モー２７等によりコンベア本体２６を循環移動するための駆動装置２８が構成される。
【００１８】
尚、展示スペース３の前側にはコンベア本体２６の直線部２６Ａが配置され、展示スペース３の左右側にはコンベア本体２６の曲線部２６Ｂが配置されている。さらに上方からみて上部台２３の前部及び左右両側部はガイドレール１２よりも内側に配置されており、さらに下段の循環コンベア１０の循環方向（図１では時計方向回り）と、上段の循環コンベア１１の循環方向（図１では反時計方向回り）とは互いに逆方向となっている。尚、図中２９はモータ２０，２７に給電するための電源コードである。
【００１９】
次に前記構成についてその作用を説明する。例えば寿司を載せた皿等を循環する飲食物供給用の循環型搬送装置（図示せず）を設置した寿司店などの飲食店において、循環型搬送装置とは別に、展示スペース３が空の冷蔵ショーケース１を設置する。次に前面の開口部６が全面的に開放した状態で、下段の循環コンベア１０の上方に支柱２２を介して上段の循環コンベア１１を設けたユニットを設置する。尚、モータ２０，２７に給電するための電源コード２９は基台２を通して後側より引出しておく。このようにして循環コンベア１０，１１を設置した後、引き戸７が取り付けられる。そして、圧縮機が作動して冷気が展示スペース３内に導入され、展示スペース３内を所定の低温状態に維持する。
【００２０】
次にモータ２０，２７を作動することにより、その回転をスプロケット１９を介して板１３，２５に伝達してそれぞれのコンベア本体１４，２６をガイドレール１２，２４に沿って循環させる。同時に板１３，２５上に、例えばアイスクリーム等冷菓を収容したカップＣや、ビールやジュース等の瓶Ｂを載置する。尚、コンベア本体１４，２６におけるコンベア本体１４，２６の曲線部１４Ｂ，２６Ｂにおいては、隣接する板の円弧状凸部１３Ａと円弧状凹部１３Ｂとが摺動して両者間で隙間なく曲ることができる。
【００２１】
このように、カップＣや瓶Ｂを板に載置して循環させると共に、展示スペース３内で冷蔵を行うものである。そして、お客は展示スペース３内を見て、循環するカップＣや瓶Ｂのなかから好みのものを選び、そして引き戸７を開いて選んだカップＣや瓶Ｂが手前に移動してきたときに取り出すものである。取り出した後は、引き戸７を閉じる。
【００２２】
以上のように、前記実施形態では開口部６に設けた透明な引き戸７、壁板８、天井板９に囲まれた展示スペース３に平面が環状の循環コンベア１０，１１を設けて、冷菓のカップＣや飲料の瓶Ｂを循環コンベア１０，１１に載置して展示スペース３内を循環することにより、冷蔵状態で循環する冷菓のカップＣや飲料の瓶Ｂを展示スペース３の前側に移動したときに、簡単に取り出すことができる。
【００２３】
また、循環コンベア１０，１１は、平面が環状のガイドレール１２，２４に沿って配置されるコンベア本体１４，２６は、平面が略半月状の板１３，２５を回動自在に複数接続したものであるので、曲線部１４Ｂ，２６Ｂにおいても、コンベア本体１４，２６は継ぎ目なく自在に曲ることができる。
【００２４】
さらに、前記展示スペース３の底面に載置する下部台１７の上面に前記ガイドレール１２は形成され、前記下部台１７に前記コンベア本体１４の駆動装置２１を収容して、下部台１７に設けられた駆動装置２１によりコンベア本体１４を循環作動することで、下部台１７を展示スペース３の底面５に載置するだけで取り付けを行うことができる。
【００２５】
また、循環コンベア１０，１１は、上下に支柱２２を介して設け、上段に位置する前記循環コンベア１１のモータ２０を前記支柱２２内に設けることにより、冷菓のカップＣや飲料の瓶Ｂ等を上下段の循環コンベア１０，１１に載置して展示スペース３内を循環し、多量な冷菓や飲料等を収容することができる。また、支柱２２を介して循環コンベア１１を設けたので、展示スペースの後側も支柱２２の間を通して視認できるので、循環コンベア１０全体を視認することができ、しかもモータ２０を前記支柱２２内に設けてコンパクト化を図ることができる。
【００２６】
しかも、前記展示スペース３を密閉型とし、その前面に透明な引き戸７が設けられているので、冷気の逃げが少なく、また前側から冷菓や飲料等を視認して取り出すことができる。
【００２７】
尚、本発明は上記実施形態に限定されるものではなく、本発明の要旨の範囲内において、種々の変形実施が可能である。例えば、実施形態では前後左右及び上部を透明な板により形成したが、展示スペースの少なくとも前面の開口部、すなわち客側の開口部のみに透明な引き戸などの開口部を設ければよく、また展示スペースの前面を開口部にしたままでもよい。
【００２８】
【発明の効果】
請求項１の発明は前面に開口部を設けるか或いは前記前面の開口部に透明な開閉部を設けた展示スペースを備えた冷蔵ショーケースであって、前記展示スペースに平面が環状の循環コンベアを設けたことを特徴とする冷蔵ショーケースであり、冷蔵状態で循環する冷菓や飲料等が展示スペースの前側に位置するときに、これらを簡単に取り出すことができる。
【００２９】
請求項２の発明においては、前記循環コンベアは、平面が環状のガイドレールと、このガイドレールに沿って配置されると共に平面が略三日月状の板を回動自在に複数接続したコンベア本体により形成されることを特徴とする請求項１記載の冷蔵ショーケースであり、ガイドレールにおける曲り部においても、コンベア本体は継ぎ目なく自在に曲って冷菓や飲料等を循環させることができる。
【００３０】
請求項３の発明においては、前記展示スペースの底面に載置する台の上面に前記ガイドレールは形成され、前記台に前記コンベア本体の駆動装置を収容したことを特徴とする請求項２記載の冷蔵ショーケースであり、展示スペースの底面に載置するだけで循環コンベアを取り付けすることができる。
【００３１】
請求項４の発明においては、前記循環コンベアは、上下に複数段支柱を介して設けられると共に、上段に位置する前記循環コンベアの前記モータを前記支柱内に設けることを特徴とする請求項３記載の冷蔵ショーケースであり、冷蔵状態で上下段で循環する冷菓や飲料等が展示スペースの前側に位置するときに、これらを簡単に取り出すことができると共に、多量な冷菓や飲料等を収容することができる。
【図面の簡単な説明】
【図１】本発明の一実施形態を示す斜視図である。
【図２】本発明の一実施形態を示す平面図である。
【図３】本発明の一実施形態を示す断面図である。
【図４】本発明の一実施形態を示すコンベア本体の平面図である。
【図５】本発明の一実施形態を示すコンベア本体の断面図である。
【符号の説明】
１  冷蔵ショーケース
３  展示スペース
５  底面
６  開口部
７  引き戸（開閉部）
１０  下段の循環コンベア
１１  上段の循環コンベア
１２  ガイドレール
１３  板
１４  コンベア本体
１７  下部台
２１  駆動装置
２２  支柱
２４  ガイドレール
２５  板
２６  コンベア本体
２７  モータ
【図１】
2005013619.tif 000003
【図２】
2005013619.tif 000004
【図３】
2005013619.tif 000005
【図４】
2005013619.tif 000006
【図５】
2005013619.tif 000007